(57)【要約】【課題】  係止片を形成するためのスライド金型の取出しを容易にするとともに、結合部が中シェルの前面に部分的に突出してクッション性を低下させることがない椅子用シートを提供する。【解決手段】  クッション体が前面に装着される中シェル３と、外シェル５とを備える椅子用シートにおいて、中シェル３の後面中央部に、背凭れ杆４の上部が取付けられる凹入部６を設け、この凹入部６の周囲の周縁部３ｂに、後方と凹入部方向とが開口する切欠き１５を設け、この切欠き１５内の相対する側壁１５ａから、係合片１５ｂを突設し、かつ、外シェル５の前面に、前記切欠きに嵌合し、前端に前記係合片と係合可能な係合爪１６ａを有する係合突起１６を設ける。【選択図】  図８
2005211249.tif 000002
【特許請求の範囲】
【請求項１】
クッション体が前面に装着される合成樹脂製の中シェルと、この中シェルの後面に取付けられる合成樹脂製の外シェルとを備える椅子用シートにおいて、
前記中シェルの後面中央部に、座席用フレームを嵌合して取付けうる凹入部を設けるとともに、この凹入部の周縁部に、後方と前記凹入部方向とが開口する複数の切欠きを設け、この切欠き内の相対向する側壁面から、他方の側壁面に向けて、互いに対向する弾性係合片をそれぞれ突設し、かつ、前記外シェルの前面に、前記切欠きに嵌合しうるとともに、前端に前記両弾性係合片と係合可能な係合爪を有する係合突起を設けたことを特徴とする椅子用シート。
【請求項２】
前記弾性係合片の遊端を、前方方向に傾斜させたことを特徴とする請求項１記載の椅子用シート。
【請求項３】
中シェルに形成される前記切欠きを、中シェルの左右の周縁部の複数箇所に設けたことを特徴とする請求項１または２記載の椅子用シート。
【請求項４】
座席用フレームが背もたれ杆である請求項１〜３のいずれかに記載の椅子用シート。
【請求項５】
座席用フレームが座シートにおける側杆である請求項１〜３のいずれかに記載の椅子用シート。
【発明の詳細な説明】
【技術分野】
【０００１】
本発明は、クッション体が前面に装着される合成樹脂製の中シェルと、この中シェルの後面に取付けられる合成樹脂製の外シェルとを備える椅子用シート、すなわち背凭れまたは座に関する。
【背景技術】
【０００２】
椅子用シートとしては、中シェルと外シェルとの相対向する面の一方に、弾性係止片を設けるとともに、他方に係合軸部を設け、この係合軸部の先端に形成した鉤部を、弾性係止片に係合させることによって、中シェルと外シェルとを互いに結合させたものがある（例えば、特許文献１参照）。
【０００３】
特許文献１に開示されている椅子用シェル構造では、中シェルの後面に複数の窪み部を形成し、各窪み部の開口部に、窪み部の内方に向かって互いに内向きに傾斜する１対の弾性係止片を形成するとともに、外シェルの前面に前端に鍔状に突出する鉤部を有する複数の軸部を形成し、前記鉤部を前記窪み部の弾性係止片の間に挿入し、軸部の前端の鉤部を、前記弾性係止片に係止することにより、中シェルと外シェルとを互いに結合するようにしている。
【特許文献１】特開平７−２５５５５６号公報（図１〜図４）
【発明の開示】
【発明が解決しようとする課題】
【０００４】
特許文献１に開示されている椅子用シェル構造では、金型による中シェルの成形時、弾性係止片によって画成されるアンダーカット部にスライド金型を使用しなければならないが、窪み部の四方が側壁で囲まれているため、成形後にスライド金型を窪み部から取出す作業が煩雑である。
また、中シェルに形成される窪み部の底壁が、中シェルの前面へ突出しているため、中シェルの前面に取付けられるクッション体の前記窪み部におけるクッション性が不良になるとともに、椅子に着座することによる負荷が、結合部に悪影響を与える虞がある。
【０００５】
本発明は、従来の技術が有する上記のような問題点に鑑み、弾性係止片を形成するためのスライド金型の取出しを容易にするとともに、結合部が中シェルの前面に部分的に突出してクッション性を低下させることなく、かつ結合部に悪影響を与えることのない椅子用シートを提供することを目的とする。
【課題を解決するための手段】
【０００６】
本発明によると、上記課題は、次のようにして解決される。
(１)  クッション体が前面に装着される合成樹脂製の中シェルと、この中シェルの後面に取付けられる合成樹脂製の外シェルとを備える椅子用シートにおいて、前記中シェルの後面中央部に、座席用フレームを嵌合して取付けうる凹入部を設けるとともに、この凹入部の周縁部に、後方と前記凹入部方向とが開口する複数の切欠きを設け、この切欠き内の相対向する側壁面から、他方の側壁面に向けて、互いに対向する弾性係合片をそれぞれ突設し、かつ、前記外シェルの前面に、前記切欠きに嵌合しうるとともに、前端に前記両弾性係合片と係合可能な係合爪を有する係合突起を設ける。
【０００７】
(２)  上記(１)項において、前記弾性係合片の遊端を、前方方向に傾斜させる。
【０００８】
(３)  上記(１)項または(２)項において、中シェルに形成される前記切欠きを、中シェルの左右の周縁部の複数箇所に設ける。
【０００９】
(４)  上記(１)項〜(３)項のいずれかにおいて、座席用フレームが背もたれ杆であるものとする。
【００１０】
(５)  上記(１)項〜(３)項のいずれかにおいて、座席用フレームが座シートにおける側杆であるものとする。
【発明の効果】
【００１１】
本発明によると、次のような効果が奏せられる。
（ａ）請求項１記載の発明によると、中シェルを型成形する際に、係合片のアンダーカット部を形成するスライド金型を、切欠きの凹入部側開口から簡単に抜くことができるため、成形後におけるスライド金型の取出作業が容易になる。また、結合部を構成する切欠きの底部が、凹入部の底壁よりもクッション体側に突出することがないため、クッション性が低下することなく、かつ椅子に着座することによる負荷が結合部に悪影響を与えることもない。
【００１２】
（ｂ）請求項２記載の発明によると、中シェルに設けた弾性係合片と、外シェルに設けた係合爪との係合をより強固なものとし、中シェルと外シェルとの結合強度を向上させることができる。
【００１３】
（ｃ）請求項３記載の発明によると、中シェルにおける座席用フレームを収容する凹入部の周縁部、即ち、座席用フレームの近くに複数の係合部が形成されるので、外シェルを強固に結合できる。
【００１４】
（ｄ）請求項４記載の発明によると、クッション性の良い椅子の背凭れを簡単に形成することができる。
【００１５】
（ｅ）請求項５記載の発明によると、クッション性の良い椅子の座を簡単に形成することができる。
【発明を実施するための最良の形態】
【００１６】
以下、本発明の一実施の形態を、図面に基づいて説明する。
図１は、本発明の一実施例に係る椅子用シートを備える椅子の背凭れを示す斜視図、図２は、図１の背凭れの中シェルと外シェルと背凭れ杆とを分解して示す斜視図、図３は、外シェルを取り除いた状態の中シェルの拡大背面図、図４〜図７は、中シェルと外シェルとを互いに結合させた状態の断面図であり、図３における、それぞれIV〜IV線、Ｖ〜Ｖ線、VI〜VI線、VII〜VII線の断面図である。図８は、図３に示す中シェルのＡ部と、このＡ部に対応する外シェルの部位を示す拡大斜視図、図９は、図７におけるＢ部の拡大断面図である。
【００１７】
椅子用シート(１)は、ウレタン等の発泡樹脂製のクッション体(２)を前面に装着する硬質合成樹脂製の中シェル(３)と、この中シェル(３)とほぼ同形状を成し、中シェル(３)の後面との間に、背凭れ杆(４)の上部を装着する外シェル(５)とを備えている。
【００１８】
中シェル(３)の後面の中央部には、背凭れ杆(４)の上部を収容しうる正面視ほぼ縦長四辺形の凹入部(６)が形成されており、この凹入部(６)の底面の上部および下部には、それぞれ、水平方向に並ぶ２個のねじ取付け用ボス(７)(７)(８)(８)が突設されている。各取付け用ボス(７)(８)の後端面には、雌ねじ孔(7a)(8a)が形成されている。
【００１９】
背凭れ杆(４)は、図２に示すように、平行に配置され、ほぼＬ字状に屈曲された２本のパイプ(９)(９)と、それらのパイプ(９)(９)の上部と中間部において、パイプ間を連結する連結板(10)(11)とによって構成されている。連結板(10)(11)には、ねじ挿通孔(10a)(11a)が穿設されている。
【００２０】
中シェル(３)は、図５および図６に示すように、ボス(７)(８)を背凭れ杆(４)の連結板(10)(11)に当接させ、連結板(10)(11)のねじ挿通孔(10a)(11a)に挿通させたねじ(12a)(12b)をボス(７)(８)に形成した雌ねじ孔(7a)(8a)に螺合させることによって、背凭れ杆(４)に締結される。
【００２１】
外シェル(５)は、背凭れ杆(４)の上部を挟むようにして、中シェル(３)の後面に合わせ、後述する第１および第２の結合部(13)(14)（図７参照）によって、中シェル(３)に結合される。
背凭れ杆(４)の上部は、中シェル(３)の凹入部(６)内に装着され、外シェル(５)によって後方から覆われている。
【００２２】
また、図２、図３に示すように、中シェル(３)の後面には、前記凹入部(６)の左右の周縁部(3a)における上部、および下部のそれぞれ２箇所に、第１の結合部(13)の一方の要素(13a)が形成され、凹入部(６)の上方の周縁部(3b)の４箇所に、第２の結合部(14)の一方の要素(14a)が形成されている。
【００２３】
一方、外シェル(５)の前面には、中シェル(３)の第１の結合部(13)の一方の要素(13a)、および第２の結合部(14)の一方の要素(14a)と、それぞれ対応する位置に、第１の結合部(13)の他方の要素(13b)、および第２の結合部(14)の他方の要素(14b)が形成されている。
【００２４】
中シェル(３)の第１の結合部(13)の一方の要素(13a)は、図８に拡大して示すように、凹入部(６)の左右に画成される段状の周縁部(3a)に、後方および凹入部(６)方向に開口する切欠き(15)と、この切欠き(15)内の上下方向の相対向する側壁(15a)面から、他方の側壁面に向けて突設された弾性係合片(15b)とによって構成されている。前記弾性係合片(15b)の遊端は、前方方向に傾斜されている。
【００２５】
一方、外シェル(５)の第１の結合部(13)の他方の要素(13b)は、外シェル(５)の前面から前向きに突設され、側面視において後向きに開口するコ字形を成し、前端の上下に係合爪(16a)(16a)を備える係合突起(16)として構成されている。
【００２６】
前記係合突起(16)は、中シェル(３)の前記切欠き(15)内に嵌合されることによって、切欠き(15)に設けた上下１対の弾性係合片(15b)(15b)を押し広げて、これを乗り越える状態で挿入され、図９に示すように、係合突起(16)の係合爪(16a)(16a)が弾性係合片(15b)(15b)に係合される。
【００２７】
図１０〜図１３は、中シェル(３)と外シェル(５)における第２の結合部についての説明図であり、図１０は、第２の結合部を分解して示す拡大斜視図、図１１〜図１３は、中シェル(３)と外シェル(５)とを互いに結合させた状態の第２の結合部を示す断面図であり、図１０における、それぞれXI〜XI線、XII〜XII線、XIII〜XIII線の断面図である。
【００２８】
中シェル(３)における第２の結合部(14)の一方の要素(14a)は、図１０に示すように、中シェル(３)の後面における凹入部(６)の上側の周縁部(3b)において、さらに後方へ突出された段部(17)に形成され、この段部(17)に、上方と後方に開口する切欠き(18)と、この切欠き(18)における左右および前面の各側壁(18a)(18b)と、それぞれ適宜な間隔をもって、切欠き(18)の下面(18c)から上方へ突設された係合片(19)とによって構成されている。前記係合片(19)と、この係合片(19)に相対向する切欠き(18)の前面側壁(18b)とは、左右の中間部において、リブ(20)によって互いに連結されている。このリブ(20)は、切欠き(18)の下面(18c)から立上り、高さは、前記係合片(19)の上端よりも少し低い。
【００２９】
一方、外シェル(５)における第２の結合部(14)の他方の要素(14b)は、外シェル(５)の前面に、下向きに開口する箱状の係合部(21)によって構成されている。前記係合部(21)の前面側の側壁(21a)の中央部には、前記リブ(20)に嵌合する切り込み(22)が形成されている。
【００３０】
第２の結合部(14)は、外シェル(５)に設けた箱状の係合部(21)の開口(21b)を、中シェル(３)の係合片(19)の上方に位置させ、外シェル(５)を下方に移動させることによって、前記係合部(21)を前記係合片(19)に嵌合させて、外シェル(５)を中シェル(３)に結合させることができる。
【００３１】
なお、上記した椅子用シートでは、本発明の第１の結合部(13)を中シェルおよび外シェルの左右の周縁部(3a)(3a)に形成しているが、この結合部を、中シェルおよび外シェルの上側の周縁部(13b)に形成してもよい。
【００３２】
本発明の椅子用シートは椅子の座にも等しく適用しうるもので、その場合には、中シェルの凹入部には、座フレームの側杆が嵌合される。
【図面の簡単な説明】
【００３３】
【図１】本発明に係る椅子用シートを示す斜視図である。
【図２】図１の椅子用シートの中シェルと外シェルを分解して示す斜視図である。
【図３】外シェルを取り除いた状態の中シェルの拡大背面図である。
【図４】図３のIV〜IV線における中シェルと外シェルとを互いに結合させた状態の断面図である。
【図５】図３のＶ〜Ｖ線における中シェルと外シェルとを互いに結合させた状態の断面図である。
【図６】図３のVI〜VI線における中シェルと、外シェルとを互いに結合させた状態の断面図である。
【図７】図３のVII〜VII線における中シェルと外シェルとを互いに結合させた状態の断面図である。
【図８】図３におけるＡ部と、このＡ部に対応する外シェルの部位を示す拡大斜視図である。
【図９】図７におけるＢ部の拡大断面図である。
【図１０】中シェルと外シェルとの第２の結合部を分解して示す拡大斜視図である。
【図１１】図１０のXI〜XI線において、中シェルと外シェルとを互いに結合させた状態の結合部を示す断面図である。
【図１２】図１０のXII〜XII線において、中シェルと外シェルと互いに結合させた状態の結合部を示す断面図である。
【図１３】図１０のXIII〜XIII線において、中シェルと外シェルとを互いに結合させた状態の結合部を示す断面図である。
【符号の説明】
【００３４】
(１)椅子用シート
(２)クッション体
(３)中シェル
(3a)(3b)周縁部
(４)背凭れ杆
(５)外シェル
(６)凹入部
(７)(８)ねじ取付け用ボス
(7a)(8a)雌ねじ孔
(９)パイプ
(10)(11)連結板
(10a)(11a)孔
(12a)(12b)ねじ
(13)第１の結合部
(13a)一方の要素
(13b)他方の要素
(14)第２の結合部
(14a)一方の要素
(14b)他方の要素
(15)切欠き
(15a)側壁
(15b)弾性係合片
(16)係合突起
(16a)係合爪
(17)段部
(18)切欠き
(18a)(18b)側壁
(18c)下面
(19)係合片
(20)リブ
(21)係合部
(21a)側壁
(21b)(21c)側壁
(22)切り込み
【図１】
2005211249.tif 000003
【図２】
2005211249.tif 000004
【図３】
2005211249.tif 000005
【図４】
2005211249.tif 000006
【図５】
2005211249.tif 000007
【図６】
2005211249.tif 000008
【図７】
2005211249.tif 000009
【図８】
2005211249.tif 000010
【図９】
2005211249.tif 000011
【図１０】
2005211249.tif 000012
【図１１】
2005211249.tif 000013
【図１２】
2005211249.tif 000014
【図１３】
2005211249.tif 000015